(57)【要約】ほぼ円筒状のケーシング内室（５）を有する弁ケーシング（１）を有し、該ケーシング内室（５）が弁皿（９）によって閉鎖可能であり、該弁皿（９）がその円錐縁（９′）で前記ケーシング内室（５）の端面側の縁に係合しており、前記ケーシング内室（５）の段部にインサート体（３）が配置され、該インサート体（３）が横断面で見て円形歯溝（３″）を有する歯車状の部体として構成されており、前記円形歯溝（３″）がケーシング内壁と共に弁通路（４）を形成しており、前記インサート体（３）を貫通する弁皿シャフト（６）が一体に構成されかつ調節可能な止めナット（７）を備えている液圧弁。
2004506861.tif 000002
【特許請求の範囲】
【請求項１】
弁ケーシング（１）がほぼ円筒状のケーシング内室（５）を有し、該ケーシング内室（５）が弁皿（９）によって閉鎖可能であり、該弁皿（９）が中央の弁皿シャフト（６）によって保持されておりかつ該弁皿シャフト（６）を取囲む弁ばね（８）により開放位置へプレロードが前記弁皿（９）にかけられており、１つの円上に並べて配置された弁通路（４）を有する、前記ケーシング内室（５）内に配置された円筒形のインサート体（３）が設けられており、前記弁皿シャフト（６）が前記インサート体（３）を貫通しかつ調節ヘッド（６′）を備えている形式の液圧弁において、弁皿（９）が円錐縁（９′）で前記ケーシング内室（５）の端面側の縁に作用しており、前記インサート体（３）が前記ケーシング内室（５）の段部に配置されておりかつ円錐歯溝（３″）を有する、横断面で見て歯車状の部体として構成されており、前記円形歯溝（３″）がケーシング内壁と共に弁通路（４）を形成しており、前記インサート体（３）を貫通する前記弁皿シャフト（９）が一体に構成されており、前記弁皿（９）の外側に調節可能な止めナット（７）を備えており、前記弁ケーシング（１）が前記弁皿（９）とは反対側の端部に、自体公知のように、雄ねじ区分（２′）と前記ケーシング内室（５）の内円錐部（５′）とを備えており、この内円錐部（５′）に円錐状のタッピンリング（Ｓ）が係合しており、該タッピンリング（Ｓ）が接続管（Ｒ）を取囲み、前記雄ねじ区分（２′）の上に螺合させられたナットにより前記内円錐部（５′）と係合した状態に保たれることを特徴とする、液圧弁。
【請求項２】
前記インサート体（３）が前記ケーシング内室（５）の段部にてスナップリング（１０）に対し軸方向の遊び（Ａ）をおいて配置されている、請求項１記載の液圧弁。
【請求項３】
弁ケーシング（１）がほぼ円筒状のケーシング内室（５）を有し、該ケーシング内室（５）が弁皿（９）によって閉鎖可能であり、該弁皿（９）が中央の弁皿シャフト（６）によって保持されておりかつ該弁皿シャフト（６）を取囲む弁ばね（８）により開放位置へプレロードが前記弁皿（９）にかけられており、１つの円上に並べて配置された弁通路（４）を有する、前記ケーシング内室（５）内に配置された円筒形のインサート体（３）が設けられており、前記弁皿シャフト（６）が前記インサート体（３）を貫通しかつ調節ヘッド（６′）を備えている形式の液圧弁において、前記弁皿（９）がその円錐縁（９′）で前記ケーシング内室（５）の端面側の縁に係合しており、前記インサート体（３）が前記ケーシング内室（５）の段部にてスナップリング（１０）に対し軸方向の遊び（Ａ）をおいて配置されておりかつ円形歯溝（３″）を有する、横断面で見て歯車状の部体として構成されており、前記円形歯溝（３″）が前記ケーシング内壁と共に弁通路（４）を形成しており、前記インサート体（３）を貫通する弁皿シャフト（６）が一体に構成されており、前記弁皿（９）の外側に調節可能な止めナット（７）を備えていることを特徴とする、液圧弁。
【請求項４】
弁ケーシング（１）がほぼ円筒状のケーシング内室（５）を有し、該ケーシング内室（５）が弁皿（９）によって閉鎖可能であり、該弁皿（９）が中央の弁皿シャフト（６）によって保持されておりかつ該弁皿シャフト（６）を取囲む弁ばね（８）により開放位置へプレロードが前記弁皿（９）にかけられており、１つの円上に並べて配置された弁通路（４）を有する、前記ケーシング内室（５）内に配置された円筒形のインサート体（３）が設けられており、前記弁皿シャフト（６）が前記インサート体（３）を貫通しかつ調節ヘッド（６′）を備えている形式の液圧弁において、前記弁皿（９）がその円錐縁（９′）で前記ケーシング内室（５）の端面側の縁に係合しており、前記インサート体（３）が前記ケーシング内室（５）の段部にてスナップリング（１０）に対し軸方向の遊び（Ａ）をおいて配置され、横断面で見て円形歯溝（３″）を有する歯車状の部体として構成されており、前記円形歯溝（３″）がケーシング内壁と共に弁通路（４）を形成しており、前記インサート体（３）を貫通する前記弁皿シャフト（６）が一体に構成されており、前記インサート体（３）の内側に調節可能な止めナット（７）が設けられており、前記インサート体（３）がケーシング壁と前記弁皿シャフトとに形状により嵌合していることを特徴とする、液圧弁。
【発明の詳細な説明】
【０００１】
本発明は、ケーシングがほぼ円筒状のケーシング内室を有し、該ケーシング内室が弁皿によって閉鎖可能であり、該弁皿が中央の弁皿シャフトによって保持されておりかつ該弁皿シャフトを取囲む弁ばねにより開放位置へプレロードが前記弁皿にかけられており、１つの円上に並べて配置された弁通路を有する、前記ケーシング室内に配置された円筒形のインサート体が設けられており、前記弁皿シャフトが前記インサート体を貫通しかつ調節ヘッドを備えている形式の液圧弁、特に管破損弁に関する。
【０００２】
ＧＢ−５５６８６３号明細書によれば、弁シャフトが多部分から構成されかつ弁シャフト部分が弁ケーシングの両端面側から組込まれかつ互いに結合されなければならないために比較的に複雑な内部構造を有する前記形式の液圧弁が公知である。しかも弁皿はケーシング内室の円錐部に対し面で接触してシールするのでシールが不完全であることがある。さらに、公知の弁においてはケーシング内室に円錐部と、インサート体を受容する段部とを構成するためには、ケーシング内室は両側から加工されなければならず、多くの時間と費用とがかかる。
【０００３】
したがって本発明の目的は前記欠点を除くことであり、この目的は、冒頭に述べた形式の弁において、弁皿がその円錐縁部でケーシング内室の端面側の縁に係合し、インサート体がケーシング内室の段部に配置され、円形歯溝を有する、横断面で見て歯車状の部体として構成されており、円形歯溝がケーシング内壁と共に弁通路を形成しており、インサートを貫通する弁皿シャフトが一体に構成されており、弁皿の外側に調節可能な止めナットが設けられており、弁ケーシングが弁皿とは反対側の端部に、自体公知のように、雄ねじ区分と弁孔の内円錐部とを備えており、該内円錐部内に接続管を取囲むタッピンリングが係合し、雄ねじ区分の上に螺合させられたナットにより前記内円錐部に係合した状態に保たれていることにより達成されている。
【０００４】
有利にはインサート体はケーシング内室の段部にてスナップリングに対し軸方向の遊びをおいて配置されている。
【０００５】
さらに本発明は、弁皿がその円錐縁でケーシング内室の端面側の縁部に係合しており、インサート体がケーシング内室の段部にてスナップリングに対し軸方向の遊びをおいて配置され、円形歯溝を有する、横断面で見て歯車形状の部体として構成され、円形歯溝がケーシング内壁と共に弁通路を形成しており、インサート体を貫通する弁皿シャフトが調節可能な止めナットを備えているという特徴を有する、冒頭に述べた形式の択一的な液圧弁を対象としている。
【０００６】
全体として少数の部分から成る本発明による簡単な構造によって、弁通路が別体であるインサート体に構成されているため、ケーシングは一方の端面側からしか加工される必要はなく、要求に応じて大きさの異なる通路を有する異なるインサート体を使用することができる。さらにインサート体が軸方向の遊びを有している場合には、本発明による構成では、インサート体がポンプから送られて来た液体の圧力のもとでスナップリングに対する当接位置へ動かされ、この当接位置にて弁流過横断面積が拡大されるようになっていると有利である。
【０００７】
さらに本発明の別の対象は、弁皿が円錐縁でケーシング内室の端面側の縁に係合し、インサート体がケーシング内室の段部にてスナップリングに対して軸方向の遊びをおいて配置されかつ円形歯溝を有する、横断面で見て歯車状の部体として構成されており、前記円形歯溝がケーシング内壁と共に弁通路を形成しており、インサートを貫通する弁皿シャフトが一体に構成され、インサート体の内側に調節可能な止めナットを備えており、インサート体がケーシング内壁と弁皿シャフトとに形状により嵌合しているという特徴を有する、冒頭に述べた形式の液圧弁である。
【０００８】
以下、本発明を図面に示した実施例に基づき詳細に説明する。
【０００９】
図示の管破壊弁は一端に雄ねじ区分２を有し、他端に雄ねじ区分２′を有している。ケーシング内室５内に配置された弁インサート体３内には１つの円上に並べて、液圧媒体のための弁通路４が構成されている。ねじ山を有する弁皿シャフト６は弁インサート体３を貫通している。この弁皿シャフト６は弁皿９を保持している。弁皿シャフト６は弁皿９とは反対側の端面にて弁インサート体３に調節ねじヘッド６′で係合しかつ弁皿９にて止めナット７で調節可能に固定されている。弁皿シャフト６もしくはインサート体３は弁皿９に達する弁ばね８を保持している。弁皿９は静止位置で、弁ケーシング１の上側から所定の間隔を有し、円錐形の閉鎖縁９′を有している。この閉鎖縁９′は流入側（矢印Ｐ）の導管破壊に際して圧縮ばね８に抗して作用する媒体圧、例えば図示されていない液圧行程シリンダからの媒体圧のもとでケーシング内室５の端縁５′に係合しかつシールする。
【００１０】
スナップリング１０によってケーシング内室５の段部にはインサート体３が固定されている。弁インサート体は図３と図４とに示されているようにほぼ円筒状でかつ横断面で見て歯車状の形を有し、歯３′と歯溝３″とを有している。歯溝３″は円形の輪郭を有し、ケーシング内壁と共に弁通路４を形成している。
【００１１】
図２に示されているように、インサート体３はスナップリング１０に対し所定の軸方向の遊びＡを有している。したがってインサート体３は矢印方向の流動圧（ポンプから）によりスナップリング１０に接触させられ、これにより弁皿縁９′と縁部５′との間の流過横断面が拡大される。
【００１２】
図１と図２とに示された実施例においては弁ケーシング１の下端には１つの管Ｒが挿入されている。この管Ｒは外面にて、同心的なタッピンリングＳによって取囲まれており、該タッピンリングＳは弁孔５の内円錐部５′に係合する。管ＲとタッピンリングＳはナット１１で弁ケーシング１のねじ山２′に固定されている。この構成は、弁ケーシングが通常のようにねじ２′を介して孔内にねじ込まれている場合のように漏洩油がねじ２′を介して外へ流出することを阻止する。
【００１３】
図５には接続された管は存在しないが、軸方向の遊びをもって配置されたインサート体３と共に本発明の弁が示されている。
【００１４】
図６と図７とには本発明の別の実施例が示されている。この実施例においてはインサート体３を貫通する弁皿シャフト６はインサート体の内側に止めナット７を備えている。インサート体３の中央の孔３″′は軸方向のリブ３ＩＶを備えている。このリブ３ＩＶはケーシング内壁の軸方向の溝５″と係合する。このような形式ではインサート体３は形状接続で回動不能に保持され、弁の調節を弁の解体なしで行なうことができるようになる。
【図面の簡単な説明】
【図１】本発明の弁の軸方向断面図。
【図２】本発明の弁の択一的な構造を示した図。
【図３】本発明の弁の第２実施例の軸方向断面図。
【図４】図５のＩＶ−ＩＶ線に沿った断面図。
【図５】インサートの平面図。
【図６】第３実施例の軸方向断面図。
【図７】図６のＶＩＩ−ＶＩＩ線に沿った断面図。
【符号の説明】
１　弁ケーシング、　２，２′　雄ねじ区分、　３　弁インサート体、　４　通路、　５　ケーシング内室、　６　弁皿シャフト、　７　止めナット、　８　弁ばね、　９　弁皿、　１０　スナップリング、　１１　ナット
【国際公開パンフレット】
2004506861.tif 000003
2004506861.tif 000004
2004506861.tif 000005
2004506861.tif 000006
2004506861.tif 000007
2004506861.tif 000008
2004506861.tif 000009
2004506861.tif 000010
2004506861.tif 000011
2004506861.tif 000012
2004506861.tif 000013
2004506861.tif 000014
2004506861.tif 000015
【国際調査報告】
2004506861.tif 000016
2004506861.tif 000017
2004506861.tif 000018
2004506861.tif 000019
2004506861.tif 000020
2004506861.tif 000021